(57)【要約】  システムはデバイスを含み、該デバイスは、デバイスに近接する地理的領域内で一時的なＩＤ信号を捕捉し、ユーザーデバイスから出力される一時的なＩＤ信号を検出するための近距離トランシーバであって、該一時的なＩＤ信号は該ユーザーの個人識別情報を含まない、近距離トランシーバと、前記一時的なＩＤ信号に関連するリモートサーバに、一時的なＩＤ信号の一部と、デバイスに関連する第１の識別子とを送信し、該一時的なＩＤ信号の一部及びデバイスに関連する第１の識別子に応えたリモートサーバからの第１の応答を受信する広域ネットワークインターフェースと、第１の応答に応えて、デバイスに連結された第１の外部ユニットに電子承認信号を提供するための出力ユニットであって、第１の外部ユニットは第１の応答に応えて第１の物理的アクションを行うように構成されている、出力ユニットと、を含む。
2021527904.tif 000002
【特許請求の範囲】
【請求項１】
システムのための方法であって、
第１のデバイスに近接する地理的領域内で一時的なＩＤ信号を該第１のデバイスの近距離トランシーバを用いてスキャンするステップと、
ユーザーデバイスから出力される一時的なＩＤ信号を前記近距離トランシーバを用いて検出するステップであって、該一時的なＩＤ信号は該ユーザーの個人識別情報を含まない、ステップと、
前記第１のデバイスの広域ネットワーク通信ユニットを用いて、前記一時的なＩＤ信号に関連するリモートサーバに少なくとも前記一時的なＩＤ信号の一部と、前記第１のデバイスに関連する第１の識別子とを送信するステップと、
前記一時的なＩＤ信号の一部及び前記第１の識別子に応えた前記リモートサーバからの第１の応答を前記広域ネットワーク通信ユニットを用いて受信するステップと、
前記第１の応答に応えて、前記第１のデバイスに連結された第１の外部ユニットに電子承認信号を提供するステップであって、該第１の外部ユニットは前記第１の応答に応えて第１の物理的アクションを行うように構成されている、ステップと、を含む方法。
【請求項２】
前記近距離トランシーバはＢｌｕｅｔｏｏｔｈ低エネルギートランシーバを含み、
前記近距離トランシーバを用いてスキャンするステップは、Ｂｌｕｅｔｏｏｔｈ規格を用いてＢｌｕｅｔｏｏｔｈ低エネルギートランシーバで一時的なＩＤ信号をスキャンすることを含む、請求項１に記載の方法。
【請求項３】
前記広域ネットワーク通信ユニットを用いて、前記リモートサーバに少なくとも前記一時的なＩＤ信号の一部を送信するステップは有線又は無線ネットワークを介して行われる、請求項１に記載の方法。
【請求項４】
第２のデバイスに近接する地理的領域内で一時的なＩＤ信号を該第２のデバイスの近距離トランシーバを用いてスキャンするステップであって、前記第１のデバイスは第１のエンティティに関連し、該第２のデバイスは第２のエンティティに関連し、該第１のエンティティ及び該第２のエンティティは独立している、ステップと、
前記ユーザーデバイスから出力される前記一時的なＩＤ信号を前記第２のデバイスの近距離トランシーバを用いて検出するステップであって、前記一時的なＩＤ信号は前記ユーザーの個人識別情報を含まない、ステップと、
前記第２のデバイスの広域ネットワーク通信ユニットを用いて、前記一時的なＩＤ信号に関連する前記リモートサーバに少なくとも前記一時的なＩＤ信号の一部と、前記第２のデバイスに関連する第２の識別子とを送信するステップと、
前記一時的なＩＤ信号の一部及び前記第２の識別子に応えた前記リモートサーバからの第２の応答を前記広域ネットワーク通信ユニットを用いて受信するステップと、
前記第２の応答に応えて、前記第２のデバイスに連結された第２の外部ユニットに電子承認信号を提供するステップであって、該第２の外部ユニットは前記第２の応答に応えて第２の物理的アクションを行うように構成されている、ステップと、をさらに含む、請求項１に記載の方法。
【請求項５】
前記第１の外部ユニットは第１のエンティティに関連する第１のセキュリティドアを含み、
前記第１の物理的アクションは前記第１のエンティティに関連する前記第１のセキュリティドアのロックを解除することを含み、
前記第２の外部ユニットは第２のエンティティに関連する第２のセキュリティドアを含み、
前記第２の物理的アクションは前記第２のエンティティに関連する前記第２のセキュリティドアのロックを解除することを含む、請求項４に記載の方法。
【請求項６】
前記第１の外部ユニット及び前記第１の物理的アクションは、セキュリティドア及び該セキュリティドアのロックを解除することと、照明コントローラ及び照明をオンにすることと、エンターテイメントユニット及び該エンターテイメントユニットを操作することと、自動販売機及び商品を購入することとからなる群から選択される、請求項１に記載の方法。
【請求項７】
前記第１の外部デバイスは、自動車、家電及びキオスクからなる群から選択される、請求項１に記載の方法。
【請求項８】
前記第１の応答は、前記第１の外部ユニット及び前記第１のユーザーに関連する承認データと、前記第１の外部ユニット及び前記第１のユーザーに関連するユーザー設定データとを含み、
前記第１の外部ユニットに前記電子認可信号を提供するステップは、
前記第１の外部ユニットに前記承認データを提供することと、
前記第１の外部ユニットに前記ユーザー設定データを提供することと、
を含む、請求項１に記載の方法。
【請求項９】
前記第１の外部ユニットはテレビを含み、
前記ユーザー設定データは第三者のアプリケーション承認データを含む、請求項８に記載の方法。
【請求項１０】
前記第１のデバイスのバイオメトリック取り込みユニットを用いて、前記ユーザーに関連するバイオメトリックデータを取り込むステップをさらに含み、
前記第１のデバイスの広域ネットワーク通信ユニットを用いて送信するステップは、前記第１のデバイスの広域ネットワーク通信ユニットを用いて、前記ユーザーに関連するバイオメトリックデータの表現を、前記一時的なＩＤ信号に関連する前記リモートサーバに送信することを含み、
前記リモートサーバからの前記第１の応答は、前記ユーザーに関連するバイオメトリックデータの表現にも応えたものである、請求項１に記載の方法。
【請求項１１】
第１のデバイスを含むシステムであって、該第１のデバイスは、
前記第１のデバイスに近接する地理的領域内で一時的なＩＤ信号を捕捉するように構成されるとともに、ユーザーデバイスから出力される一時的なＩＤ信号を検出するように構成された近距離トランシーバであって、該一時的なＩＤ信号は該ユーザーの個人識別情報を含まない、近距離トランシーバと、
前記一時的なＩＤ信号に関連するリモートサーバに、少なくとも前記一時的なＩＤ信号の一部と、前記第１のデバイスに関連する第１の識別子とを送信するように構成されるとともに、該一時的なＩＤ信号の一部及び該第１の識別子に応えた前記リモートサーバからの第１の応答を受信するように構成された広域ネットワークインターフェースと、
前記第１の応答に応えて、前記第１のデバイスに連結された第１の外部ユニットに電子承認信号を提供するように構成された出力ユニットであって、該第１の外部ユニットは前記第１の応答に応えて第１の物理的アクションを行うように構成されている、出力ユニットと、
を含む、システム。
【請求項１２】
前記近距離トランシーバは、Ｂｌｕｅｔｏｏｔｈ低エネルギー規格を用いるように構成されたＢｌｕｅｔｏｏｔｈトランシーバを含む、請求項１１に記載のシステム。
【請求項１３】
前記広域ネットワークインターフェースは有線又は無線インターフェースを含む、請求項１１に記載のシステム。
【請求項１４】
第２のデバイスをさらに含み、該第２のデバイスは、
前記第２のデバイスに近接する地理的領域内で一時的なＩＤ信号を捕捉するように構成されるとともに、前記ユーザーデバイスから出力される前記一時的なＩＤ信号を検出するように構成された近距離トランシーバであって、前記一時的なＩＤ信号は前記ユーザーの個人識別情報を含まない、近距離トランシーバと、
前記一時的なＩＤ信号に関連する前記リモートサーバに、少なくとも前記一時的なＩＤ信号の一部と、前記第２のデバイスに関連する第２の識別子とを送信するように構成されるとともに、前記一時的なＩＤ信号の一部及び該第２の識別子に応えた前記リモートサーバからの第２の応答を受信するように構成された広域ネットワークインターフェースと、
前記第２の応答に応えて、前記第２のデバイスに連結された第２の外部ユニットに電子承認信号を提供するように構成された出力ユニットであって、該第２の外部ユニットは前記第２の応答に応えて第２の物理的アクションを行うように構成されている、出力ユニットと、を含む、請求項１１に記載のシステム。
【請求項１５】
前記第１の外部ユニットは第１のエンティティに関連する第１のセキュリティドアを含み、
前記第１の物理的アクションは前記第１のエンティティに関連する前記第１のセキュリティドアのロックを解除することを含み、
前記第２の外部ユニットは第２のエンティティに関連する第２のセキュリティドアを含み、
前記第２の物理的アクションは前記第２のエンティティに関連する前記第２のセキュリティドアのロックを解除することを含む、請求項１４に記載のシステム。
【請求項１６】
前記第１の外部ユニット及び前記第１の物理的アクションは、セキュリティドア及び該セキュリティドアのロックを解除することと、照明コントローラ及び照明をオンにすることと、エンターテイメントユニット及び該エンターテイメントユニットを操作することと、自動販売機及び商品を購入することとからなる群から選択される、請求項１１に記載のシステム。
【請求項１７】
前記第１の外部デバイスは、自動車、家電及びキオスクからなる群から選択される、請求項１１に記載のシステム。
【請求項１８】
前記第１の応答は、前記第１の外部ユニット及び前記第１のユーザーに関連する承認データ及びユーザー設定データの双方を含み、
前記出力ユニットは、前記第１の応答に応えて前記第１の外部ユニットに前記承認データ及び前記ユーザー関連データを提供するように構成されている、請求項１１に記載のシステム。
【請求項１９】
前記第１の外部ユニットはテレビを含み、
前記ユーザー設定データは第三者のアプリケーション承認データを含む、請求項１８に記載のシステム。
【請求項２０】
前記第１のデバイスは前記ユーザーに関連するバイオメトリックデータを取り込むように構成されたバイオメトリック取り込みユニットをさらに含み、
前記広域ネットワーク通信インターフェースは、前記ユーザーに関連するバイオメトリックデータの表現を、前記一時的なＩＤ信号に関連する前記リモートサーバに送信するようにも構成され、
前記リモートサーバからの前記第１の応答は、前記ユーザーに関連するバイオメトリックデータの表現にも応えたものである、請求項１１に記載のシステム。
【発明の詳細な説明】
【技術分野】
【０００１】
関連出願の相互参照
本出願は、２０１８年６月１５日に出願された米国仮出願第６２/６８５２９２号の非仮出願であり、該仮出願は全ての目的のために参照により組み込まれる。
【０００２】
本発明は、一般に、第一者（first  party）の識別のためのシステム、方法及び装置に関し、より具体的にはユニバーサルＩＤ（universal  ID）のためのシステム、方法及び装置に関する。
【背景技術】
【０００３】
現在、本発明者が個人のためのユニバーサル識別（ＩＤ）信号と呼ぶものを作り出す試みは、信号を送信し装置がそれを検出するという信号を実施するための負担を個人が負うフレームワーク又は基礎モデルを伴う。個人信号又は発明者がトランスポンダ若しくはビーコンと呼ぶものを作るこの作業は、大多数のユーザーの技術的領域を超える。これは個人のためのユニバーサル（特定の製造業者、ソーシャルメディア又はネットワークプロバイダー若しくは企業によってのみ検出可能であるか又は関連するものではないという意味でユニバーサール（普遍的）である）識別信号の成長を妨げる障壁の１つである。
【発明の概要】
【発明が解決しようとする課題】
【０００４】
ユニバーサル識別信号の発明者の目標の１つは、ユーザーによる厳密なデータ管理、セキュリティ及びプライバシーが可能な形で異なる製造者による様々な物理的世界の装置又は物体を識別しそれらとやりとりできるようにすることである。これとは対照的に、現在のユーザーＩＤモデルは「サイロ」モデルに従う。典型的なサイロモデルでは、ユーザーは、スマートフォン等の特定のデバイス上の特定のアプリケーションを介して特定のＩＤ信号を発信し、特定のＩＤ信号は、家電メーカー、自動車メーカー又はオンラインソーシャルメディアプロバイダ等の特定のエンティティによってのみ検出可能である。そのため、特定のＩＤは普遍的なものではない。例えば、ヒルトンのユーザーＩＤはユナイテッド航空のフライトに用いることはできない。これらのサイロシステムは、有用、安心且つ安全である必要がある物理的な実世界の環境及び空間に十分なマッピングを提供しない。
現在使用が限定的である一部の実施は基本的に１つのオンラインＩＤ又はプロファイルを利用して、様々な種類のデバイスとやりとりを行う。セキュリティ及びデータ管理／プライバシーの懸念以外に、このような単一のオンライン上の人格は現実の物理的な世界において個人がどのように振る舞うか又は行動するかを真に反映していない。物理的環境との人間のやりとりは数千年にわたって発展してきたため、このような行動がオンライン上の人格に反映されることを期待すべきではない。
【０００５】
ユニバーサル又は準ユニバーサル信号技術の普及を妨げてきたその他の要因は、一般に製造業者や企業が顧客と共に信号又はビーコンフレームワークを実施する必要があり得る独自のアプリ、ポータル、バックエンドインフラ等を作る動機付けが概して欠如していることが挙げられる。繰り返しになるが、これは、多くのエンティティにとって出費やメンテナンスの価値がないサイロ型のアプローチにつながる。ユニバーサル信号を実施することの技術的な負担がユーザーにとって大きいという第１の点に戻って、環境において感知ポイントを作ることは確かに可能であるが、このフレームワークでは、ユーザーが彼らの行動を変更し、異なる方法で行動し、ユーザーが実際に追加の行動を取ることを要求する。ユーザーにこのようなことを要求せず、物理的な世界又は環境が本質的によりスマートであり、シームレスで自然なやりとり可能にするためにユーザーの追加負担を最小限に留めるフレームワークが必要である。
【課題を解決するための手段】
【０００６】
開示される一態様は、ビーコン装置と、スキャナ又はセンサとして動作する検出器装置とを用いて、ユニバーサル個人トランスポンダとも呼ばれるユニバーサル識別信号を可能にする方法である。様々な実施形態では、ビーコンは、ユーザーが携帯するスマートフォン、ウェアラブル機器又は他のスマート装置であり、一時的な識別子と呼ばれるものを送信する。この一時的なＩＤは通常スマートフォン又はスマート装置にインストールされたアプリにより有効になる。次に、一時的なＩＤ及び関連データについて環境を常にスキャンし得る検出器装置によって一時的なＩＤが検出又は感知される。様々な実施形態では、検出器は、家電、電子機器、パブリックキオスク、制御されたアクセスポイント等の幅広い種類の装置に組み込むことができる。以下で説明するように、検出器装置は、特定のビーコン装置のユーザーの一時的なＩＤを解決する。すなわち、一時的なＩＤが特定の登録された個人又はユーザーに合致される。通常、（例えば、ユニバーサルな）信号サービスプロバイダにより運用される専用サーバは一時的なＩＤの少なくとも一部を受信し、一時的なＩＤに関連する特定の登録されたユーザーに関連するアクセス制御リストを検証する（すなわち、保存されたユーザーデータを決定する）。次いで、専用サーバから検出器装置に、例えば制御されたアクセスポイント（例えばドアロック）、コーヒーマシン、キッチン家電、ＴＶモニタ等に第１の組のユーザーデータが送信される。次いで、検出器装置は、第１の組のユーザーデータに基づいて動作を行い、ロックの解除、聡明の点灯、ユーザーの登録等、ビーコン（すなわち、ユーザー）と実質的で有意義なやりとりを可能にする。一部の実施形態では、ビーコン装置により要求されるアクションは低減又は最小限に留められ、アクションの大部分は検出器装置によって行われる。すなわち、ユーザー及びユーザーのスマートフォンは、ユーザーのユニバーサルＩＤ信号をドアロックに認識させたり、ユーザーのためにドアロックを解除させる等のドアロックと有意義なやりとりをするために何ら積極的な動作や行為を行う必要がない。他の実施形態では、ビーコン装置は、ユーザーによる特定のやりとりなしに専用サーバとのいくつかのアクセス機能を自動的に行い得る。
【０００７】
本発明の別の態様では、ユニバーサルパーソナルトランスポンダ環境を実施するためのシステムは、ユーザーにより携帯される、ユニバーサルパーソナルＩＤトランスポンダソフトウェアを含むビーコン装置を含む。ユーザーは、トランスポンダソフトウェアによりビーコンによって発せられるユニバーサルＩＤ信号を常にスキャンする１つ以上のスキャナ装置を有する環境又は空間に入る。ユニバーサルＩＤ信号の検出は、ユーザー又はビーコン装置が必要とする最小限の動作又はアクションで行われる。ビーコン上のソフトウェアモジュールは、必要なトランスポンダソフトウェア及びハードウェア接続コンポーネントを有するほぼどのような種類の検出器装置とのやりとりを可能にする。専用サーバは、様々な種類のデータを保存するためのデータベースと、ユニバーサルパーソナルトランスポンダ環境を実施するための複数のソフトウェアモジュールとを有する。一部の場合では、サーバは、ユーザー及びドアロックから電子機器に至るまでの幅広い種類の装置を含み得るスキャナ又は検出器装置の製造業者若しくはオペレータの利益のためにシステムを運用するユニバーサルパーソナルトランスポンダサービスプロバイダ（ＳＡＡＳ）により運用及び所有される。他の場合では、サーバは検出器装置の製造者（例えば、制御されたアクセスポイント）により運用及び／又は所有され、依然としてユニバーサルＩＤソフトウェアからのユニバーサルＩＤ信号と互換性がある。一部の実施形態では、環境を実施するために必要な処理及び積極的なステップの大半は、一時的なＩＤデータについてビーコン（例えば、スマートフォン）に照会するか又はモニタリングし、サーバと通信し、応答性の物理的アクションを行うスキャナデバイスによって行われる。様々な実施形態では、ビーコンはバイオメトリクススキャナ、パスワード等を介したユーザーのセキュリティ及び認証を確実にするために一部のステップを行う。一部の実施形態では、プロセスを開始し、セッションを確立する負担は一時的なＩＤを感知するスキャナデバイスにより行われる。
【０００８】
本発明の一態様によれば、方法が記載される。１つのプロセスは第１のデバイスに近接する地理的領域内で一時的なＩＤ信号を該第１のデバイスの近距離トランシーバを用いてスキャンすることと、ユーザーデバイスから出力される一時的なＩＤ信号を前記近距離トランシーバを用いて検出することであって、該一時的なＩＤ信号は該ユーザーの個人識別情報を含まない、こととを含む。１つの方法は前記第１のデバイスの広域ネットワーク通信ユニットを用いて、前記一時的なＩＤ信号に関連するリモートサーバに少なくとも前記一時的なＩＤ信号の一部と、前記第１のデバイスに関連する第１の識別子とを送信することと、前記一時的なＩＤ信号の一部及び前記第１の識別子に応えた前記リモートサーバからの第１の応答を前記広域ネットワーク通信ユニットを用いて受信することとを含む。１つの技術は前記第１の応答に応えて、前記第１のデバイスに連結された第１の外部ユニットに電子承認信号を提供することを含み、該第１の外部ユニットは前記第１の応答に応えて第１の物理的アクションを行うように構成されている。
【０００９】
本発明の別の態様によれば、第1の装置を含むシステムが開示される。１つの装置では、該第１のデバイスは、前記第１のデバイスに近接する地理的領域内で一時的なＩＤ信号を捕捉するように構成されるとともに、ユーザーデバイスから出力される一時的なＩＤ信号を検出するように構成された近距離トランシーバであって、該一時的なＩＤ信号は該ユーザーの個人識別情報を含まない、近距離トランシーバを含む。別の装置では、第１のデバイスは前記一時的なＩＤ信号に関連するリモートサーバに、少なくとも前記一時的なＩＤ信号の一部と、前記第１のデバイスに関連する第１の識別子とを送信するように構成されるとともに、該一時的なＩＤ信号の一部及び該第１の識別子に応えた前記リモートサーバからの第１の応答を受信するように構成された広域ネットワークインターフェースを含む。さらに別の装置では、第１のデバイスは前記第１の応答に応えて、前記第１のデバイスに連結された第１の外部ユニットに電子承認信号を提供するように構成された出力ユニットであって、該第１の外部ユニットは前記第１の応答に応えて第１の物理的アクションを行うように構成されている、出力ユニットと、を含む。
【図面の簡単な説明】
【００１０】
本発明をより完全に理解するために添付の図面を参照する。これらの図面は本発明の範囲における限定とみなすべきではないことを理解することで、本発明の現在記載されている実施形態及び現在理解されている最良の形態を添付の図面の使用を通じて追加の詳細と合わせて説明する。
【図１】図１は、様々な実施形態に係るプロセスの概観フロー図である。
【図２】図２は、ビーコンを有するユーザー及び異なる種類のデバイスを示す物理的環境の図である。
【図３】図３は、本発明の様々な実施形態のための一部の構成要素を示すブロック図である。
【図４Ａ】図４Ａは、一部の実施形態に係る、サービスプロバイダにより実施されるユニバーサルＩＤ信号フレームワークにユーザーが接続するプロセスのフロー図である。
【図４Ｂ】図４Ｂは、一部の実施形態における物理的空間においてデバイスがユニバーサルＩＤ信号感知デバイスとなることができるようにデバイスを登録及び初期化するプロセスのフロー図である。
【図５】図５は、一部の実施形態に係る、ユニバーサル信号の存在を受動的に検出するプロセスのフロー図である。
【図６】図６は、一部の実施形態に係る、ビーコンとデバイスとの間でユニバーサルＩＤ信号を送信し、それらの間でのやりとりを開始するプロセスのフロー図である。
【図７】図７は、一部の実施形態に係る、デバイスがオンラインの場合にデバイス上で起こる動作のプロセスのフロー図である。
【図８】図８は、一部の実施形態に係る、デバイスがオフラインの場合にデバイス上で起こるプロセスのフロー図である。
【図９】図９は、一部の実施形態における様々なプロセスを実施可能なコンピュータシステムの一例を示すブロック図である。
【発明を実施するための形態】
【００１１】
以下の説明では、提示された概念の完全な理解を提供するために数多くの具体的な詳細を記載する。提示された概念はこれらの特定の詳細の一部又は全てがなくても実施され得る。他の場合では、説明する概念が不必要に不明瞭にならないように周知のプロセス動作は詳細には説明していない。一部の概念は特定の実施形態と共に説明されるが、これらの実施形態は限定を意図したものではないことが理解されるであろう。むしろ、添付の特許請求の範囲によって定義されるように、説明する実施形態の精神及び範囲内に代替物、変更物及び同等物が含まれ得るため、それらをカバーすることを意図している。
【００１２】
例えば、方法及びシステムを、ユニバーサル個人ＩＤ信号の作成、利用及び認証並びにセキュリティの管理の文脈で説明する。以下の説明では、様々な実施形態の完全な理解を提供するために、数多くの具体的な詳細を記載する。特定の例示の実施形態は、これらの具体的な詳細の一部又は全てなしで実施され得る。他の場合では、説明する実施形態が不必要に不明瞭にならないように周知のプロセス動作は詳細には説明しない。様々な技術及びメカニズムは、明確にするために単数形で記載されることがある。
【００１３】
なお、一部の実施形態は、別段記載がない限り、技術の複数の繰り返し又はメカニズム若しくは技術の複数のインスタンス化を含む。例えば、システムは様々なコンテクストでプロセッサを用いる。しかしながら、システムは、別段記載がない限り、記載された実施形態の範囲内にとどまりながら複数のプロセッサを用いることができることが理解されるであろう。さらに、技術及びメカニズムは、２つのエンティティの間の接続を説明することがある。なお、２つのエンティティの間の接続は、様々な他のエンティティが２つのエンティティの間に存在し得るため、必ずしも妨げのない直接的な接続を意味するものではない。例えば、プロセッサはメモリに接続され得るが、プロセッサとメモリとの間には様々なブリッジやコントローラが存在し得ることが理解されよう。したがって、別段記載がない限り、接続は妨げのない直接的な接続であることを必ずしも意味しない。
【００１４】
様々な実施形態は、パーソナルなユニバーサル信号の形態で、ユニバーサルな識別及び物理的存在の検出を提供することを記載する。この信号により、ユーザーは、ベンダー固有のアプリをダウンロードしたり、ベンダー固有のアカウントを設定したり、製造業者のブランドのサイロ化されたエコシステムに限定されることなく、ユーザーの環境において装置とやりとりできるようにする。個人を表すそのような個人的なユニバーサル信号は、デバイス及びソフトウェアが、ユーザーに関連し、物理的環境に拡張された情報について信号を送信するビーコンを検出及び照会できるようにする。これは、より個別化され、効率的で、場合によっては安全な体験をユーザーに提供する。
【００１５】
これらの実施形態は、ユーザーのワークロードを低減又は最小限に抑えて、例えば、世界中のどこにいてもユーザーがテレビに近づいてテレビに（ユーザーのユニバーサル信号を用いて）ユーザーを検出させて、ユーザーの個人的なプリファレンス及びアカウントを照会させることができるといった、ユーザーの環境とのシームレスなやりとりができるようにすることに焦点を当てる。そして、ユーザーは、音声コマンドを用いて、例えばテレビに「ゲームオブスローンズを再生」と言うことにより好きなテレビ番組をテレビに再生させることができる。テレビはユーザーの認証されたユニバーサル信号を用いて、ユーザーの個人的なプリファレンス及びアカウント（例えば、Ｎｅｔｆｌｉｘのアカウント）にアクセスし、番組を拾い上げてそれを自動的に再生することができる。これは、ユーザーがテレビ上で特定のアプリを用いたり、テレビ固有のアカウントを設定したり、アカウントにログインしたり、テレビを所有したりすることなく行うことができる。別の例では、ユーザーがドアの近くに行き、ユーザーが十分近い距離に到達するとユーザーのためにドアのロックを自動的に解除させることができ、ユーザーは何もする必要なくドアを受動的に通り抜けることができる。そのような例では、ドアがユーザーのユニバーサル信号ＩＤを感知し、ユーザーがドアを通り抜けるためのアクセス権を有することを検証し、ユーザーのためにドアのロックを解除するからである。ここでも、ユーザーはドアの製造業者若しくはデバイスに又はそのようなやりとりの役割を果たすのに必要な特定のアカウント又はアプリに縛られることなく行うことができる。そのため、様々な実施形態は、ユーザーとデバイスとがやりとりするためのユニバーサル信号を提供するとともに可能にし、すべての当事者は、物理的世界においてシームレスで且つ自然な形のやりとりから恩恵を受ける。
【００１６】
ユーザーの存在がスキャナにより感知されるスマートな環境を実現するための方法及びシステムを様々な図面に記載する。一実施形態では、環境は、スキャナが、ユーザーの存在を個人ビーコンとして動作するユーザーのモバイルデバイスから発せられるユニバーサル識別信号を介して検出する物理的空間である。このフレームワークでは、スキャナがバックエンド作業の大半を行い、ビーコン（例えば、ユーザーの電話又は時計）にとってはワークロードが大幅に軽減されている。この点に関して、ユニバーサルＩＤ信号を実施する負担を取り去ることで、フレームワークを提供する環境又は物理的空間はインテリジェント又はスマートであると記載され得る。ユーザーは平常通りに動き回り、ふるまうだけでよい。ユーザーが動いている空間又は環境内でユーザーの周りにあるデバイスがユーザーを検出し、スマート空間は、本明細書に記載の利点を実現するのに必要な通信及び処理を行う。
【００１７】
図１は、一実施形態に係るプロセスの概観フロー図である。ステップ１０２で、エンティティはビーコンとして動作し、物理的空間内を動き回る。説明する実施形態では、エンティティは人間であってもよく、空間はいくつかの例を挙げると、家庭、オフィス、小売店、ロビー、公共空間、歩道等の任意の環境であり得る。別の言い方をすると、エンティティは自動車、自転車又は動物の等のユニバーサルＩＤ信号が有用な任意の物体又は物であり得る。ステップ１０４で、少なくとも１つのスキャナが動作する環境又は空間が作られる。スキャナは多くの方法で顕在又は実施できる。説明する実施形態では、スキャナ（本明細書では「デバイス」ともいい、通常モバイルデバイスであるビーコンを本明細書では「ビーコン」、「ユーザー」又は「スマートフォン」という）は家電製品、ドアロック、モニタ、自動車、キオスク、民生用電子機器等であり得る。環境又は空間で見つかる装置の種類は、当然ながら空間の性質に依存する。ステップ１０４で、スキャナを製造するか又はスキャナを操作若しくは管理する製造業者又は他のエンティティが環境内にスキャナがあるように契約及び登録する。家庭は、小売店又はオフィスのロビー等とは異なる種類のデバイスを有する。説明する実施形態における大半のデバイス又はスキャナの共通の特徴は、それらが概して据え置かれている。それらは物理的空間内で動き回ることが期待されないが、動き回ることもでき、本明細書で説明する発明概念は依然当てはまる。ステップ１０６で、デバイスはビーコン信号によりビーコンを検出し、デバイスとビーコンとの間の初期のやりとりが開示され得る。
【００１８】
初期のやりとりは２種類のうちの１つであり得る。１つは、ステップ１０８に示す受動的やりとりと呼ばれる。ここでは、デバイスはビーコン信号の存在を検出する。デバイスはユーザーの身元を特定しなくてもよい。すなわち、ユーザーは依然匿名のままである。別の受動モードの実施形態では、ユーザーはデバイス自体ではなく、以下で説明するサービスプロバイダにより通常運用される専用サーバにおいてのみ特定され得る。一般に、このバックエンドサーバはオンラインであるが、一実施形態では、サーバ、すなわちサービスプロバイダはインターネット接続なしでアクセス可能であるか又は（例えば、イーサネット、Ｚｉｇｂｅｅ等を介して）オンラインであり得る。このビーコンの存在の受動的なスキャン又は検出は、部屋又は空間内の人数を数えること又は誰かが空間に入ってきたかどうか等の様々なコンテクストで有用であり得る。本質的に、デバイスはその周囲にいるユーザーを感知したいが、個人がプライバシーについての決定権を持つ。ユーザーは自分の身元の管理者である。ユーザーの存在を検出又は感知するデバイスはやりとりを行うか又は何かをし得るが、その行動にはプライバシーに関する懸念はなく、ユーザーの認証を必要としないため、やりとりの性質が受動的である。
【００１９】
開始され得る別の種類のやりとりは、ステップ１１０に示すユーザーの認証がある安全な交換（secured  exchange）と呼ばれる。ここでは、認証にトークンが用いられ、デバイスは認証を要求できる。これを明確に示す一例は、デバイスは、ユーザーの存在を検出し、ユーザーがドアを開ける権限を有する場合にのみロックを解除するドアロックの場合である。ユーザーは、デバイス（ドアロック）に対して自身がドアを開ける権限を有することを証明しなければならない。一実施形態では、ユーザーが権限を有することを証明するためにトークンが用いられる。ビーコン信号は、デバイスに対してユーザーを認証させるバックエンドサーバからの少なくとも１つの署名済みトークンを有する。この認証がなされると、デバイスは関連するアクションを行い、ユーザーとやりとりする。なお、受動的又は安全な交換シナリオのいずれにおいても、デバイスはステップ１１２で示すようにユーザーとやりとりを行い得るが、やりとりのレベル又は程度は当然ながら変化することになる。
【００２０】
図２は、異なる種類のデバイスと、ビーコンを有するユーザーとを示す物理的環境の図である。ビーコンは様々な形態をとることができ、大半はインターネット接続可能であり、最も一般的なものはスマートフォンや、時計又はブレスレット等のウェアラブル機器であり、バイオインプラントやその他の形態の個人装着型装備を含み得る。上述したように、ユーザーは個人である可能性が最も高いが、移動物体又はペット等の動物の場合もある。多くの形態をとることができる装置も示されているが、大半はインターネット接続可能である。デバイスは冷蔵庫、コーヒーメーカー、ドアロック、テレビ、自動販売機、キオスク、自動車、モニタ等の家電製品、電子機器、事務機器であり得る。以下でより詳細に説明するように、デバイスは、(ユニバーサル信号アクションを行うために)装置に含まれる自身のサーバを有し得るか又はサービスプロバイダサーバを全く必要としなくてもよい。説明する実施形態では、デバイスはサービスプロバイダサーバにアクセスして、本発明に必要な動作の一部又は全てを行う。バックエンドサーバとも呼ばれるサービスプロバイダサーバも示す。このサーバには多くの役割があるが、主要な役割の１つはユーザーを認証し、ビーコン及びデバイスのためのアクセス制御リストを維持することである。このバックエンドサーバは、本発明のユニバーサルＩＤ信号及びスマート環境を実施する責任を負うユニバーサルＩＤ信号サービスプロバイダによって維持及び運営されている。プロバイダは、ユーザーが自身のスマートフォン又はウェアラブル機器にインストールするソフトウェアモジュール又はアプリを提供することにより、スマートフォン又はウェアラブル機器を個人のビーコンとすることができる。また、プロバイダはデバイスの製造業者やオペレータにソフトウェア、ハードウェア又はその両方を提供する。例えば、プロバイダは製造業者にソフトウェア開発キット（ＳＤＫ）を提供できるか又は製造業者又はデバイスのオペレータがそれらのデバイスに組み込むためにＢｌｕｅｔｏｏｔｈモジュール又はセンサ等の検出器／スキャンハードウェアを必要とする場合はそのようなハードウェアコンポーネントを提供することができる。例えば、ロックの製造業者は本発明に望ましい適切なセンサを得るための技術的な手段又は願望を有していない場合があるため、サービスプロバイダはロックの製造業者に対してセンサハードウェアを提供し、それをどのように取り付けるかを指示することができる。デバイスの製造者は、それらのデバイスがユーザーとやりとりする場合に必要な種類の機能及びユーザーから要求される安全性及び認証の種類を決定する。製造業者はそのユーザーと安全に且つ安心してやりとりできるようにするために、ビーコンからどのようなデータが必要かについて指示する。
【００２１】
図３は、本発明の様々な実施形態を実施するために必要な３つの主要な構成要素を示すブロック図である。ユーザーはビーコン３０２のように行動する。ほとんど全ての場合において、ユーザーはビーコンとして役割を果たす装置を保持する単一の個人である（場合によっては、「ユーザー」は家族の等の一群の人、同僚のグループ、チーム等であり得る)。上述したように、装置はスマートフォン、ブレスレット、時計又は任意の好適なウェアラブル機器であり得る。ビーコン３０２には本発明の個人ユニバーサルＩＤ信号を実施するサービスプロバイダソフトウェアモジュール３０４がインストールされている。
【００２２】
デバイス３０６は、環境内で検出器又はスキャナとして機能する。上述したように、デバイス３０６は、家電製品から電子機器、公共の自動販売機にいたる多数の物体のうちの１つの形態をとることができる。ほとんど全てが、サービスプロバイダによって提供され、プロバイダ又は製造業者のいずれかによってインストールされるソフトウェアモジュール３０８を有する。ソフトウェアモジュール３０８に加えてモジュール３０４は、以下のフロー図に記載の動作の多くを行う。一部の実施形態では、デバイス３０６は、ビーコン３０２、専用のサーバ、図３における他の構成要素との接続に必要なＢｌｕｅｔｏｏｔｈコンポーネント又は他のハードウェア（例えば、送信機及び受信機）等のハードウェアコンポーネンと３１０も有し得る。このハードウェアコンポーネントはサービスプロバイダによって提供され得る。
【００２３】
サービスプロバイダサーバ３１２は、ユニバーサルＩＤ信号プロバイダによって運営及び管理され、ユニバーサル信号アプリ３１６のような広範なソフトウェアモジュールと、ビーコン（ユーザー）、デバイス、アクセス制御テーブルについてのデータ及び本発明のユニバーサル信号環境の実施に必要な広範なデータを保存する少なくとも１つのデータベース３１４とを有し得る。
【００２４】
図４Ａは、一実施形態に係る、サービスプロバイダにより実施されるユニバーサルＩＤ信号フレームワークにユーザーが加わるプロセスのフロー図である。ユーザー（通常は個人）はユニバーサルＩＤ信号フレームワークに加わることを決定した。一つのコンテクストでは、オフィス又は会社のキャンパス環境においてユニバーサル信号の利点を実現できるように全ての従業員に加わることを雇用者が求め得る。ユーザーによって取られる最初のステップをステップ４０１に示し、そこでユーザーは、サービスプロバイダユニバーサルＩＤ信号アプリ（「アプリ」）を自身のスマートフォン又はウェアラブル機器（説明を容易にするために、総称して「スマートフォン」と呼ぶ）にダウンロードする。一般に、このアプリは、最も広く使用されているパーソナルデバイス、プラットフォーム又はオペレーティングシステム、例えば電話、時計、ブレスレット、タブレット、バイオチップ等で動作するＡｎｄｒｏｉｄ、ｉＯＳ等で動作できる。
【００２５】
一度ダウンロードされてインストールされると、ステップ４０３でユーザーは自身に関する少なくともいくつかの必要な基本情報を入力する。アプリがインストールされている装置によっては、一部の情報を後で入力することができる。一実施形態では、ユーザーによって入力されたデータのサブセットは様々な識別子の作成をもたらす。その１つは、サービスプロバイダによってのみではないものの、主にサービスプロバイダにより用いられるためその使用が制限される固有ＩＤと総称的に呼ばれるものである。この固有ＩＤは、機器、ドアロック、コーヒーマシン等のデバイスには送信されない。別のものは、ランダムに生成される識別子であり、本明細書では仮又は一時的ＩＤ（temporary  or  ephemeral  ID）と呼ばれるものである。一実施形態では、この一時的ＩＤはユーザーのスマートフォン上のアプリから送信される。この一時的ＩＤは、例えば、ユーザーのデバイスによる匿名検出のために用いられ得る。ユーザーデータから作成される別の識別子は永続的ＩＤ（persistent  ID）と呼ばれ、安定的と特徴付けることができ、各ユーザー／デバイスの製造者のペアのために作成されるＩＤである。例えば、ユーザーはモニターとの関係で異なる永続的ＩＤを有し、コーヒーマシン、車、ドアロック等との関係で別の永続的ＩＤを得る。各デバイスの製造業者はユーザー毎に個別の永続的ＩＤを得る（各製造業者から１つのデバイスを想定）。これは、一時的ＩＤの永続版又は恒久版と説明され得る。ステップ４０５では、ステップ４０３で入力され作成されたデータがサービスプロバイダ又は製造者自身の専用サーバ（ほとんどの場合、これはサービスプロバイダのサーバ）に保存される。
【００２６】
図４Ｂは、一実施形態に係る、物理的空間でデバイスがユニバーサルＩＤ信号感知デバイスになることができるようにデバイスを登録及び初期化するプロセスのフロー図である。ステップ４０２で、サービスプロバイダは、デバイスが本発明を実施するのに必要なスキャナとなるために必要なハードウェアを有しているかどうかを判定する(デバイスは空間及びユニバーサルＩＤフレームワークにとって全く新しいものであるため、サービスプロバイダはデバイスがユニバーサルＩＤアプリをまだ有していないことを知っている)。サービスプロバイダは、デバイス名、カテゴリ、場所、識別子、メーカー、モデル、時間帯等のデバイス、アイテムについての広範なデータ及びメタデータを取得する。このデータの一部は、ユーザーが物理的な実世界空間でデバイスに出会ったときにそのデバイスが何であるかをユーザーに知らせ、それとやりとりしたいかどうかを決めるために用いられ得る。しかしながら、ステップ４０２で決定される閾値の問題は、デバイスが適切なハードウェアを有しているかどうかである。有している場合、サービスプロバイダは、ステップ４０４に示すように、説明する実施形態ではソフトウェア開発キット（ＳＤＫ）の形態であるユニバーサルＩＤ信号ソフトウェアを供給し、インストールするだけでよい。デバイスがスキャンに適したハードウェアを有していない場合（一部の小規模な製造業者は、それらの製品にこのハードウェアを組み込む手段又は技術的スキルがない場合がある)、サービスプロバイダがそれを提供する。この場合、ソフトウェアモジュール及びセンサハードウェアがデバイスにインストールされ、これはデバイスの製造業者又はサービスプロバイダによって行われ得る。
【００２７】
ステップ４０６で、デバイスを記述する情報がサービスプロバイダによってデータベースに保存される。このデータは、デバイスとビーコンとのやりとりを可能にするために用いられ得る。一部のシナリオでは、このやりとりのためのデータはデバイス自身に記憶され、サービスプロバイダは積極的な役割を担わない。記憶されるデータの一部の例としては、デバイスＩＤ、シングルキー、プライベート／公開キーペア、一連のコマンド及びやりとり、ユーザー又はデバイスがとることができるアクション、異なるデバイスにカスタム化可能なテンプレートが挙げられる。一実施形態では、テンプレートは属性及びメタデータの予め定義されたスキーマとして記述され得る。簡単な例では、ドアロックのためのテンプレートは「ロック」及び「ロック解除」を有することができるのに対して、自動車用のテンプレートはより多くのオプションを有し得る。ステップ４０８で、デバイス及びテンプレートを記述するメタデータがデバイスに送信され、そこに保存される。
【００２８】
図４Ｂの最後に、ユニバーサルＩＤ信号アプリを実行するビーコンがデバイスの存在下にある場合に、デバイスはビーコンを検出又は感知することができる。図５は、一実施形態に係るユニバーサル信号存在の受動的検出プロセスのフロー図である。ステップ５０２で、ユーザー（上述したように「ユーザー」という用語は、「ビーコン」及び「スマートフォン」と同義である）がスキャン装置を有する環境又は物理的空間に入る。なお、ここで重要なのは、ユーザーが自身の個人ユニバーサルＩＤ信号を管理していることである。ユーザーは、（ステップ４０１でダウンロードしたアプリを実行することにより）信号をオンにするか又はオンにしないことができる。また、ユニバーサル信号がなりすまし又はその他の意図的な若しくは非意図的な権限のない人物からのものではなく正しい個人からのものであることを確実にするために取り得る措置もある。ステップ５０２で、ユーザーは、別の要因が合格するとスマートフォン又はウェアラブル機器を介して信号をオンにする。例えば、スマートウォッチがユーザーの心拍パターンや他の生体認証手段を検出して、スマートウォッチをつけているか又はスマートフォンを持っているユーザーの身元を確認した後でのみ信号がオンにされる。この時点でのみ信号がオンにされる。これは、ユーザーのスマートウォッチ又は他のウェラブル機器を他の個人が装着することによってユーザーになりすますことを防止する。ステップ５０４で、環境内のビーコンは一時的ＩＤを送信する。ステップ５０６で、デバイスはビーコンを検出又は感知し、ビーコンの一時的ＩＤを読み取る。ビーコンとデバイスとの間で先ず非永続的且つ最小限の接続が確立される。ユニバーサルＩＤ信号のアプリは、(他のＩｏＴデバイスとは異なり）デバイスを独占的に拘束しない。接続は非永続的なものであるため、一部の典型的なスケーリングの問題が回避される。本発明の個人ユニバーサルＩＤ信号の実施及びフレームワークでは、永久的なボンディング又は拘束は必要でない。
【００２９】
ステップ５０２〜５０６は、デバイスによるビーコンのアンビエント感知（ambient  sensing）のためのサブプロセスと呼ぶことができるものを記述する。ユニバーサルＩＤ信号の最も単純なユースケースシナリオと特徴付けられ得る。アンビエント感知は、デバイスの近くに又は部屋の中に何人のユーザーがいるかを数えるといったユーザーを単に区別するようなシナリオで用いることができる。また、このアンビエント感知は、必要に応じてユーザーがデバイスと潜在的に交信するための方法と見なすこともできる。交信が可能であり、サービスプロバイダサーバ等の専用サーバにアクセス可能な場合、プロセスはステップ５０８へと続く。別の実施形態では、専用サーバには、Ｂｌｕｅｔｏｏｔｈ、Ｅｔｈｅｒｎｅｔ等の他の通信手段を介してアクセスできる。ステップ５０８で、サービスプロバイダサーバはユーザーに関するプライベートデータを知る。サービスプロバイダサーバは一時的ＩＤを取得し、それを実際の又は本物のユーザーに決定することによって行われる（上述したように、このステップの前、ユーザーは単なる匿名ではあるが区別可能なエンティティであった）。ステップ５１２で、バックエンドはアクセス制御リストを調べることによりユーザーに付加された許可を検証する。ステップ５１４で、バックエンドは、アクセス制御リストに基づくユーザーデータをデバイスに送信する。すなわち、デバイスが見ることを許されるユーザーに関するデータのみをデバイスに送信する。バックエンドは、ユーザー及びデバイスに関する許可、ポリシー、プリファレンス等のマトリックスを保存する。一実施形態では、バックエンドは、上述したようにそのユーザー及び特定のデバイスのペアリングに特有なユーザーの永続的ＩＤを用いる。ステップ５０６に戻って、一時的ＩＤが存在しないか又は必要なデータが既にデバイス上に存在し、「ローカル専用」オプションとして特徴付けられている場合、ビーコンを感知するために必要なデータはデバイス自体にあり、サービスプロバイダサーバからではなくデバイスからユーザーデータが要求される。
【００３０】
図１に示す受動的ブランチは、図５でステップ５０２〜５１４として記載されている。ステップ５１０、５１６及び５１８は、図１のセキュアなブランチを示す。上述したように、ステップ５１０で、デバイスがインターネットを介してサービスプロバイダサーバにアクセスしない「ローカル専用」ステップの場合、デバイスからユーザーデータが要求される。サービスプロバイダは、スマートフォンからのユーザーデータ又は任意の種類のデータを認証できないためステップ５１６及び５１８が必要になる。ステップ５１６及び５１８で取られるアクション及びクエリの観点はデバイスの観点からのものである。ステップ５１６で、デバイス又はより具体的にはデバイス上のユニバーサルＩＤ信号ソフトウェアモジュールは、る時点でビーコンから受信したデータがサービスプロバイダにより検証されおり且つ依然として有効であることを検証可能である必要がある。デバイスは、データ（データは例えば「これはジョン・スミスのスマートフォンである」こと基本的に伝える）がバックエンドサーバによって裏付けられていること及びデバイスが受信した認証データ及び識別データが検証されていることを確認したい。一実施形態では、これは、上述した（一時的、永続的、固有等の)ＩＤのいずれも用いることなく行われる。その代わりに、身元を確認するために用いられるデータはスキャンニングデバイスに依存する。例えば、データは、ユーザーの認証された運転免許証であるか又はユーザーが正規の、意図したユーザーであるという生体認証として（例えば、ユーザーのスマートフォンに保存された）ユーザーの顔の画像又はユーザーの音声録音の既知のハッシュと一致するユーザーの音声の検証又は顔認識であってもよい。デバイスがこの証明を受け取るか又は受け取っているデータが真正であることを確信すると、制御はステップ５１８に進む。ここでは、デバイスは、スマートフォンから、ユーザー識別データが真正であり、デバイスがドアのロックを解除したり、テレビをユーザーの好きなチャンネルに変えたり、ユーザーの好みでコーヒーを作る等のアクションを行うことができることの証明を受け取る。
【００３１】
図６は、一実施形態に係る、ビーコンとデバイスとの間でユニバーサルＩＤ信号を送信し、それらの間でのやりとりを開始するプロセスのフロー図である。ステップ６０２で、ユーザーが保持するスマートフォン又はウェアラブル機器はユニバーサル信号が有効になったデバイスがある物理的空間に入り、ユニバーサルＩＤ信号を受動的に送信する。一実施形態では、これはビーコン装置の電源がオンの場合にバックグラウンドにあるアプリによって実質的に行われる。別の実施形態では、アプリを終了させるか又は対照的にフォアグラウンドにあり、ユニバーサル個人ＩＤ信号を送信する。デバイスからの要求を検出して応答することもできる。ビーコンはサービスプロバイダからのユニバーサルＩＤ信号アプリを有するが、デバイスからの要求を受信したり応答したりするのにデバイスの製造業者から何も必要としない。上述したように、本発明は何らかの形態の「サイロ」構成又はフレームワークをバイパスする。スキャン中のデバイス内のセンサはビーコンに接続できる。
【００３２】
ステップ６０４で、ビーコンはデバイスから要求を受信する。アプリは要求を認識するか又はしないかのいずれかである。アプリがデバイスからの要求を認識しないか又はデバイスからの要求を長期間（所定の閾値を超える時間）見ていない場合、制御はステップ６０６に進む。アプリはデバイスから再現不可能な値又はナンス及びそのデバイスの固定の固有ＩＤを要求する。他の実施形態では、このＩＤはサービスプロバイダサーバから又はデバイスに関連するｉＢｅａｃｏｎ（登録商標）又は近距離無線通信を通じたＩＤタグを介して等の他の手段を介して得られる。ステップ６０６で、アプリはこれらの値を受信する。ステップ６０８で、アプリはサービスプロバイダサーバに接続し、これら２つの値をサーバに送信する。サーバが一意なＩＤをデバイスに属するものとして識別できると仮定して、サーバはデバイスとビーコンとの間のアクセスを認める。サーバは、以下で説明するようにトークンを導出するためにナンスを用いる。より具体的には、一連のトークン（array  of  tokens）をスマートフォンに送信することによりアクセス制御及びセキュリティを実現する。サーバがデバイスをＩＤから認識できないか又はデバイスへのアクセス又はやりとりにユーザーは関心がないと判断した場合、スマートフォンにトークンは渡されない。場合によっては、デバイスに関する公開された安全でない情報を提供するメタデータがスマートフォンに渡され、ユーザーはその情報に基づいて行動できる。例えば、デバイスは、キオスク又はパーキングメーター等の公共のデバイスであり、ユーザーはほとんどの場合デバイスを無視し得るが、ユーザーがデバイスについてもっと知りたい場合（例えば、残りのパーキング時間又は料金）、ユーザーは専用サーバが返すデータを用いてそうすることができる。一実施形態では、トークンは、ナンス、一意なデバイスＩＤ、デバイス固有のデータ、期限付きデータ、ユーザー制限等を組み合わせることで得られる１つのコンポーネントを有する。本発明の一態様では、デバイスとユーザーとの間の通信は安全である。トークンの作成に投じられる全ての値及び要因は、ユニバーサルＩＤ信号フレームワーク全体を安全にする上で重要な役割を果たす。１つのトークンの第２のコンポーネントはペイロードセクションと呼ばれ、ユーザーのプリファレンスに関するデータ、および一般にユーザー及びデバイスに対するデータを含む。一実施形態では、一連のトークン内の各トークンは、数分、数時間又は数日等の限られた期間だけ有効である。一連のトークンは数百個トークンを有してもよく、数時間から数日の間の正当性を証明するのに用いることができる。例えば、商業ビルへのアクセスのためにトークンは４〜５時間続き、ユーザーが一日中続くトークンがあることを確実にするためにしばしば補充される。
【００３３】
別の実施形態では、サービスプロバイダサーバへのアクセスが利用できない場合、バイオメトリクスフィンガープリント、音声認識、顔認識又はデバイスの網膜スキャナ部分、地理位置、有効期限等の他の要因を用いてデバイス（例えばロック）上でトークンを生成できる。これらの機能は、サービスプロバイダサーバへのアクセスできる場合であってもより強力なセキュリティを提供するために用いることができる。当該技術分野で知られているように、トークンは一度だけ用いて廃棄することを意図した署名済みのデータ項目である(一連のトークンも同様)。ユニバーサルＩＤ信号フレームワークにおけるセキュリティの重要性に立ち返ると、サービスプロバイダサーバからスマートフォンに送信される一連のトークンは、他のセキュリティ機能と共に考えられるハッキングや不正行為、例えば、とりわけ「再演（replaying）」又は模倣（有効で承認されたデバイスを模倣する有害なデバイス）等を防止する。
【００３４】
ステップ６１２で、アプリは一連のトークンから１つのトークンを又は一連のトークン全体をデバイスに渡す。デバイスはトークンを検証し、ユーザーとデバイスとの間でやりとりを開始できる。より具体的には、デバイス上のユニバーサルＩＤ信号ソフトウェアモジュールはトークンを検証し、スマートフォンに対してそれらが通信可能であることを示すメッセージを送信する。ビーコンは、このメッセージを受信するとステップ６１４でセッションを作成し、デバイス及びビーコンはやりとりを行うことができる。
【００３５】
ステップ６０４に戻って、ビーコンアプリがデバイスからの要求を認識した場合、制御は、スマートフォンとデバイスとの間のセッションが既にアクティブであるステップ６１６に続く。このセッションはステップ６１４で作成されたものと同じ種類のものである。一連のトークンは、スマートフォンのキャッシュ又はローカルストレージに保存され得る。これにより、スマートフォンはオンラインである必要がなく、オフラインで高速に動作することができる。ステップ６１８で、スマートフォンはトークンをデバイスに引き続き渡す。スマートフォンは、セキュリティとユーザーの利便性のバランスを保つ時間の閾値である所定の期間、例えば数時間トークンを維持する。この時間が経過した後、アプリはサービスプロバイダから新しい一連のトークンを取得する。それらが期限切れでなければ、スマートフォンはこの一連のトークンのトークンを使い続けることができる。ステップ６２０で、ユーザーとデバイスとの間のやりとりを再開できる。このように、すなわち、ステップ６０４〜６１４又はステップ６０４、６１６、６１８及び６２０での動作を実行することにより、（様々な製造業者からの）多くの異なる種類のデバイス及びユーザーにより使用可能な安全で真に普遍的なＩＤ信号を実施できる。
【００３６】
図７は、一実施形態に係る、デバイスがオンラインの場合にデバイス上で起こる動作プロセスのフロー図である。ステップ７０２で、サービスプロバイダサーバは、デバイス、例えば、車又は電化製品からユーザーを認証するための要求を受信する。デバイスは、その特定のデバイスが認識又は見ること（デバイスのカテゴリ又は特定の製造業者若しくはメンバグループも特定され得る）を許可されたユーザーのみを見ることができることに留意することは有益である。同様に、職場又は他の保安区域等の一部の物理的環境では、ユーザーは監督するエンティティ（例えば、雇用主）によって見ること又は認識することが許可されたデバイスだけを見ることができる。他のコンテクストでは、デバイスの製造業者は、特定の機能又は特徴を有するユーザーのみがそのデバイスを見るか又は認識したりすることができることを望み得る。ユーザー又はデバイスの製造業者若しくは所有者、マネージャ等のいずれかが、ユニバーサルＩＤ信号を用いて誰が又は何を認識できるかに関するセキュリティプロトコルを設定できる様々な種類のシナリオが可能である。例えば、この種類のセキュリティの１つの利点は両サイドでのスパムに相当するものを防止することである。全てのシナリオにおいて、本発明の様々な実施形態で実施される根本的なセキュリティの原理は、ユーザー又はデバイスのいずれの側も、やりとりをするために必要なものだけを見ること及び受け取ることができ、ユーザー又はデバイスが他方を見ることを認められている場合にのみその点に到達できることである。ステップ７０４で、サービスプロバイダサーバは、ユーザーがデバイスを用いることを許可されているかどうか及び許可されている場合にはどのような制御又は制限があるかを見るためにユーザーアクセス制御をチェックする。サービスプロバイダによってこのユーザークセス管理の確認をすることができるようにするための異なる技術又は搬送機構がある。例えば、一実施形態では、帯域外トークン交換又はトークンサーバが存在し得る。共通の要因は、最初にデバイスに送信されたユーザーのためのランダムな非識別ＩＤを、ユーザーに関する完全なセットの情報に変換することである。この情報は権限チェックプロセスで用いることができる。ステップ７０６で、ユーザーが認証されたと仮定した場合、サービスプロバイダサーバはペイロードをデバイスに送信するため、デバイスはユーザーのプリファレンス、許可、やりとりの履歴及び他の情報を知っている。ステップ７０８で、ユーザー及びデバイスは実質的なやりとりを開始することができる。
【００３７】
図８は、一実施形態に係る、デバイスがオフラインの場合にデバイス上で起こるプロセスのフロー図である。このプロセスの最終目標は、デバイスがサービスプロバイダサーバと通信しないことを除いて図７のものと実質的に同じである。ステップ８０２で、デバイスは、ユーザーから一連のトークンを要求する。この一連のトークンの性質及び特徴は上述した一連のトークンと同じである。ステップ８０４で、デバイスはビーコンからトークンを受信する。ステップ８０６で、デバイスは、ローカルリソースのみを用いたトークンの検証に進む。様々な実施形態では、トークン内の署名を検証又は確認でき、トークンが失効していないか又は以前に用いられていないこと確実にするために確認できる。これらの手段及びローカルで利用可能である場合は他の手段を介して、デバイスはユーザーを認証し、ユーザー（オンラインであるか否かを問わない）とオフラインのデバイスとの間でのやりとりを開始できる。前述したように、セキュリティに関して、その注目に値する１つの側面はトークンの検証期間に埋め込まれていることである。この期間は数分から数週間まで様々である。コーヒーマシンのためのトークンは２０日間持続するのに対して、ロックや支払いのための場合トークンは１時間後に有効期限が切れる。このセキュリティ機能はデバイスの製造業者によって通常設定され、ユーザーがデバイスで再認証されるまでどれだけ待つかを決定する。一般に、ユーザーはこの点に関してほとんどインプットを有していない。図７及び図８に記載していない別のシナリオは、デバイス及びスマートフォンの双方ともサービスプロバイダ又は専用サーバと連絡がつかず、以前に互いに接続又はやりとりしていない場合である。このシナリオでは、スマートフォンはユニバーサルＩＤ信号アプリを有し、デバイスはサービスプロバイダに登録されているものの、やりとりはもちろんのこと互いに認識できない。
【００３８】
図９は、一部の実施形態にしたがって記載されたデータ処理システム９００の図である。データ処理システム９００は、上述した様々なシステムのコントローラ又は他の構成要素で用いられる１つ以上のコンピュータを実施するために用いられ得る。一部の実施形態では、データ処理システム９００は、プロセッサユニット９０４、メモリ９０６、永続記憶装置９０８、通信ユニット910、入出力（Ｉ／Ｏ）ユニット９１２及びディスプレイ９１４間の通信を提供する通信フレームワーク９０２を含む。この例では、通信フレームワーク９０２はバスシステムの形態を取り得る。
【００３９】
プロセッサユニット９０４は、メモリ９０６にロードされ得るソフトウェアのための命令を実行する役割を果たす。プロセッサユニット９０４は、特定の実施に応じで多数のプロセッサ、マルチプロセッサコア又は他の種類のプロセッサであり得る。メモリ９０６及び永続記憶装置９０８は記憶装置９１６の例である。記憶装置は、例えば、限定されないがデータ、機能形態のプログラムコード及び／又は一時的及び／又は永続的ベースのいずれかの他の好適な情報等の情報を記憶することができるハードウェアである。記憶装置９１６は、これらの例示的な例ではコンピュータ読取可能記憶装置とも呼ばれ得る。これらの例では、メモリ９０６は例えばランダムアクセスメモリ又は任意の他の好適な揮発性又は不揮発性の記憶装置であり得る。永続記憶装置９０８は、特定の実施に応じて様々な形態を取り得る。例えば、永続記憶装置９０８は１つ以上の構成要素又は装置を含み得る。例えば、永続記憶装置９０８はハードドライブ、フラッシュメモリ、書き換え可能な光ディスク、書き換え可能な磁気テープ又はこれらの一部の組み合わせであり得る。永続記憶装置９０８によって用いられる媒体は取り外し可能でもあり得る。例えば、永続記憶装置９０８のためにリムーバブルハードドライブが用いられ得る。
【００４０】
これらの例示の例では、通信ユニット９１０は他のデータ処理システム又は装置との通信を提供する。これらの例示の例では、通信ユニット９１０はネットワークインターフェースカードである。入出力ユニット９１２は、データ処理システム９００に接続され得る他の装置とデータの入出力を可能にする。例えば、入出力ユニット９１２はキーボード、マウス及び／又は他の好適な入力装置を介してユーザー入力のための接続を提供し得る。さらに、入出力ユニット９１２は出力をプリンタに送信し得る。ディスプレイ９１４はユーザーに情報を表示する機構を提供する。
【００４１】
オペレーティングシステム、アプリケーション及び／又はプログラムのための命令は、通信フレームワーク９０２を介してプロセッサユニット９０４と通信する記憶装置９１６内に位置し得る。異なる実施形態のプロセスは、メモリ９０６等のメモリに位置し得るコンピュータ実施命令を用いてプロセッサユニット９０４により実施され得る。
【００４２】
これらの命令は、プロセッサユニット９０４内のプロセッサによって読み取り及び実行され得るプログラムコード、コンピュータ使用可能プログラムコード又はコンピュータ読取可能プログラムコードと呼ばれる。異なる実施形態でのプログラムコードは、メモリ９０６又は永続記憶装置９０８等の異なる物理的又はコンピュータ読取可能記憶媒体上で実施され得る。
【００４３】
プログラムコード９１８はコンピュータ読取可能媒体９２０上で機能的な形態で位置する。コンピュータ読取可能媒体９２０は選択的に取り外し可能であり、プロセッサユニット９０４による実行のためにデータ処理システム９００に搭載されるか又は送信され得る。これらの例示の例では、プログラムコード９１８及びコンピュータ読取可能媒体９２０はコンピュータプログラム製品９２２を形成する。一つの例では、コンピュータ読取可能媒体９２０はコンピュータ読取可能記憶媒体９２４又はコンピュータ読取可能信号媒体９２６であり得る。
【００４４】
これらの例示の例では、コンピュータ読取可能記憶媒体９２４はプログラムコード９１８を伝搬又は送信する媒体ではなく、プログラムコード９１８を保存するために用いられる物理的又は有形の記憶装置である。
【００４５】
あるいは、プログラムコード９１８はコンピュータ読取可能信号媒体９２６を用いてデータ処理システム９００に送信され得る。コンピュータ読取可能信号媒体９２６は例えばプログラムコード９１８を含む伝搬データ信号であり得る。例えば、コンピュータ読取可能信号媒体９２６は電磁信号、光信号及び／又は任意の他の適切な種類の信号であり得る。これらの信号は、無線通信チャネル、光ファイバケーブル、同軸ケーブル、ワイヤ及び／又は任意の他の好適な種類の通信チャネル等の通信チャネルを介して送信され得る。
【００４６】
データ処理システム９００のために示された異なる構成要素は、異なる実施形態が実施され得る様式に対してアーキテクチャ面の制限を提供することを意味するものではない。異なる例示の実施形態は、データ処理システム９００について示されたものに加えて及び／又はそれらに代わる構成要素を含むデータ処理システムで実施され得る。図９に示す他の構成要素は、図示の例示の例から異なり得る。異なる実施形態は、プログラムコード９１８を実行可能な任意のハードウェア装置又はシステムを用いて実施され得る。以下では、「信号」とは上述のユニバーサルＩＤ信号のことであり、第一者（first  party）とはユニバーサルＩＤを有する者である。
【００４７】
一実施形態では、ユニバーサルな存在の検出及びやりとりのためのシステム及び方法が提供される。非限定の例として、クライアント、人又は他の物体（以下「第一者」という）を表すユニバーサルＩＤ信号が作成され、任意のシステム、センサ又はソフトウェアがその信号を検出でき、人又は物体に仕えるために関連情報を問い合わせる。非限定の例として、これは、モバイルデバイス、ウェアラブル機器又はバイオチップ等（以下「デバイス」という）を、個人、例えばユーザーの存在を表すために一例としてＢｌｕｅｔｏｏｔｈ低エネルギーを介して固有の信号を発する個人用トランスポンダ（例えばトランシーバ）にする方法を含む。ユーザーの周囲のものは信号を検出でき、信号の個人又は物体を表す有意なメタデータに信号を変換できる。
【００４８】
一実施形態では、無線接続を介して動作を即座に実行するためのシステム及び方法が提供される。非限定の例として、これは、トークンを得るために用いられる周辺及び中心モードの動作（peripheral  and  central  mode  of  operations）を組み込む。トークンは、即座の行動を行うために閾値内にある場合にのみ実行される。デバイスのアドレス又は他の識別子をスキャンし、トークンを組み込みシステム内でローカルにキャッシュされるように維持することにより、組み込みシステムはモバイルクライアントがトリガする任意のコマンド／意図に即座に対応し、意図と実行される動作との間にラグがない。
【００４９】
一実施形態では、識別可能な物体の存在を感知するためのシステム及び方法が提供される。非限定の例として、一意なユニバーサルＩＤ信号を発する近くにある物体をスキャン及び事前準備（primes）するのにセンサ技術が用いられる。非限定の例として、センサは、エミッタがそれについての特定の情報を提供するように動作させることができるか又は存在するユニバーサルＩＤ信号のエミッタはスキャナを検出し、同じことを行うことができる。この実施形態では、近くにある物体の存在を検出する目的で、センサを周辺及び中心デバイスの両方にするシステム及び方法が提供される。これは、周辺モードに過負荷にかけないためにセンサ上のスキャナを用いて困難な作業の大部分を行うことにより、ハンドシェイクを確実に行い且つ第一者の負荷を低減するのに用いることができる。
【００５０】
別の実施形態では、移動中の車両にいる乗客（第一者）の受動的な検出及び識別のためのシステム及び方法が提供される。非限定の例として、これは、加速度計及び信号プロトコルの使用を含み、センサが取り付けられた車両と共に感知された物体が実際に移動していると結論付けることができる。ステップは、ユニバーサルＩＤ信号を用いて行われ、乗客が車両に乗って移動していることの確認をトリガするためにセンサと乗客との間でコマンドが共有される。主な用途は、人がバス又は電車で移動しているのを感知し、乗客のために支払の処理を自動的に行うこと又は乗客の経路を追跡すること等を行うことができる。
【００５１】
別の実施形態では、オフラインのやりとりを安全に行うためにシステム及び方法が提供される。非限定の例として、第一者についての複数のコマンドを収集する方法が提供され、センサ側でブルームフィルタを用いて、インターネット上でのフォールバックなしにセキュアなコマンドがＢＬＥ（Ｂｌｕｅｔｏｏｔｈ低エネルギー）を介して発生したことを認証する。非限定の例として、この方法は、インターネット接続を必要とせずに物とその付近にある記憶容量が制限されたセンサとの間で、限定されないが支払、メタデータ等を含む任意の種類のコマンドを発行するのに用いることができる。
【００５２】
別の実施形態では、無線ローカルネットワーク上での安全で物理的な支払い処理のためのシステム及び方法が提供される。非限定の例として、ＰＯＳ／端末と第一者のモバイルデバイスとの接続をハンドシェイクする方法が用いられ、両者が安全に検証される。金額が端末に入力されて、検出されたエンティティに適用されると、支払がバッチ処理されてバックエンドで処理される。このように、より安全でセキュアな支払処理のために、端末と第一者との間で支払情報は交換されない。この実施形態では、システムは、非限定の例としてグーグルハンズフリー、アップルペイ等であり得るあらゆるものについて、物事が一意的な方法で行われることを定義する。
【００５３】
一実施形態では、プロキシエージェントを介して第二者のアカウントサービスアクセスを接続するための無線識別のためのシステム及び方法が提供される。非限定の例として、システム及び方法は、デバイスに第一者を検出させ、プロキシエージェントを介して、限定されないがＰａｎｄｏｒｒａ、Ｎｅｔｆｌｉｘ、１つ以上のカレンダー、Ａｍａｚｏｎアカウント等を含む第一者のアカウントにアクセスさせる。非限定の使用例としては、Ｅｃｈｏのような装置に近づき、それに即座に認識して「第一者Ｘさん、こんにちは」と言うことができ、第一者Ｘは、デバイスを以前に用いたことがなくても又はＥｃｈｏデバイスに第一者Ｘの特定のアカウントを設定しなくても、それに「Ｐａｎｄｏｒａ上の私のイージーミュージックステーションを再生して」と言うことができる。これは、アカウントを設定すること及びアカウントが設定されているユーザーのみにこれらのデバイスを制限する必要に対する改善である。別の使用例は、任意のテレビ画面及びＸのアバターショーを用いることができることである。非限定の例として、第一者Ｘのために表示されたＮｅｔｆｌｉｘの番組、ＹｏｕＴｕｂｅ（登録商標）のビデオ等の全てを第一者Ｘがタップし、即座に再生することである。第一者Ｘが離れると全てが消える。これらはすべて、第一者Ｘが別途Ｎｅｔｆｌｉｘのアカウントでログインすることを強制することなく、第一者ＸのＮｅｔｆｌｉｘのアカウントに誓ってテレビのソフトウェアに対して再生を開始させる。
【００５４】
別の実施形態では、固定された及び動き回る物体の無線識別のためのシステム及び方法が提供される。非限定の例として、物体は無線で検出される。非限定の例として、これを用いることにより、限定されないが車のＶＩＮ、顧客の電子機器のシリアル番号等を含む各装置が識別されるために発することができる無線（識別子のようなバーコード）を生成することができる使用例を網羅することによって実現できる。次いで、この識別は、パーキングメーター及び駐車場の自動支払及び建物へのアクセス等の状況に用いることができる。別の非限定の例として、これは人々をビーコンにするのに用いることができる。このように、各個々の物体は独自の識別ビーコンを有する。
【００５５】
別の実施形態では、双方向通信ビーコンのためにシステム及び方法が用いられる。非限定の例として、これは、アドバタイジングパケットを発することができるだけでなく、広告をスキャンしてその周囲のものに対してその物体に仕えるのに用いることができる有用な情報又はメタデータの問い合わせを行うことができる双方向ビーコンの１つである。ビーコンの限界は、特定のビーコンを何らかの用途に利用するためにそれら全てが対応するアプリを必要とすることである。双方向ビーコンを作成することで、アプリを有するユーザーに仕えることができる。アプリを持っていない人に対しても、それらのプレゼンスシグニチャを検出して仕えることができる。これは、現在のビーコンと同様に自立型ビーコン装置を提供し、検出及び通信の双方向特性のための周辺モ及び中心モードの双方で動作する。
【００５６】
別の実施形態では、無線デジタル運転免許証及び検証済み識別（verified  identification）のためのシステム及び方法が提供される。非限定の例として、これは、無線信号として放つ電子運転免許証を作成する。警察等は、第一者の隣に立つことにより免許証を検知し、即座に照会することができる。第一者はもはや運転免許証を携帯したり、何ら情報を提示したりする必要がなく、それらのプライバシーはユニバーサルＩＤ信号の使用により損なわれることがない。非限定的な例として、これは、第一者が自身のアカウントに自身の情報をどのように入力するか、いくつかの方法を通じてどのように身分が検証されるかに加えて、当局のモバイル装置を介してユニバーサルＩＤ信号が安全な形で当局に利用可能にするために関連するユニバーサルＩＤ信号がどのようにセキュリティを提供するかを提供する。
【００５７】
別の実施形態では、公共交通機関の料金を自動的に支払うためのシステム及び方法が提供される。非限定の例として、（ｉ）公共交通機関の車両に乗っている乗客を自動的に検出し、（ｉｉ）乗客の乗降時にそれを検出し、（ｉｉｉ）ユーザーが何もしなくても、バックエンドで乗客の料金の支払を自動的に処理する。
【００５８】
別の実施形態では、安全な分散無線識別のためのシステム及び方法が提供される。非限定の例として、これは、第一者の指紋、音声、外観等を用いて、第二者のシステムと情報を共有することなく、他のシステムに対して身分を検証することを提供する。一実施形態では、これは、限定されないがモバイルデバイスを含むが装置上で本発明のアプリを一次バリデータとして用いることにより実現される。第一者の身元及び生体情報が第一者の管理の範囲にとどまり、中央サーバ又は第二者のシステムと決して共有されないように、プロキシ検出器（指紋/スキャナ、音声/マイク、外観/カメラ）と第一者のプロキシアプリとの間の検証ステップをバウンスするためにプレゼンスプロトコル（presence  protocol）が用いられる、これは、第一者の情報を他者と共有する必要なしに安全な分散化された識別の方法を提供する。これは、高いセキュリティのニーズのために用いることができる。また、限定されないが、新しいデバイスを購入し、第一者の指紋を用いてログインして何らフォームに入力する必要なくデバイスサービスプロバイダにアカウントを作成ことを含む追加の状況のためにもこれを用いることができる。デバイスには第一者の名前が即座にわかり、「第一者Ｘさん、こんにちは。私はあなたの新しいラジオです。ご機嫌いかがですか？」と言う。非限定の例としては、これは限定されないが下記のものを含む。
視覚：顔を検出し、それが第一者のものであることをハッシングにより確認し、その顔とそのデバイス上にある第一者Ｘのものとをマッチングすること、
音声：音声を検出し、それが第一者のものであることをハッシングにより確認し、それが第一者であるかを検証するためにプロキシサーバーに確認すること、
指紋、及び
他のバイオメトリクス。
【００５９】
全て第一者の装置を絶対に離れない。
【００６０】
別の実施形態では、製品又はサービスとやりとりする人をユニバーサルに感知及び特定するためのユニバーサルピープルセンサマイクロチップのためのシステム及び方法が提供される。
【００６１】
非限定の例として、これは、製品がその製品を使用している人を検出できるようにするために、任意の家電製品又は製品に埋め込まれるように設計されたスタンドアローンの専用マイクロチップである「ユニバーサルピープルセンサ」を含むことができる。それは、ユーザーが特定のアプリをダウンロードすること又はデバイスが自身のセンサを作成することなくユーザーから情報を抽出するのに用いることもできる。非限定の例として、これはセンサを作成する方法及び第一者からのデータを識別及び抽出するのにセンサはどのように何をするかを提供する。一実施形態では、これは、マイクロチップがどのように設計され、そのシステム及び方法が、他の製造業者がプラグアンドプレイシステムとしてそれらの製品に組み込むことができる何かの目的のためにユニバーサルピープルセンサマイクロチップとして振る舞うことができるかを含む。
【００６２】
別の実施形態では、第一者の個人のプレファレンスを無線送信するためのシステム及び方法が提供される。非限定の例として、これは、任意の第一者が周囲にある装置デバイスにそれらのリファレンスを発する方法を含むことができる。非限定の例として、これは、第一者のアカウントが個人のプレファレンスを保持するアプリに第一者が自分はどのようにコーヒーを飲むのが好きかを入力し、アプリは、その情報をコーヒーマシン又は第一者が立ち寄るコーヒーショップに利用可能にする。この実施形態では、第一者の個人のプレファレンスを収集、整理及び送信することは、現在、全てのアプリ／イオタデバイスが物事を行う方法であるロック又は縦割りされた方法ではなく普遍的な方法で提供される。
【００６３】
別の実施形態では、顔認識を用いた物理的なアクセス識別のためのシステム及び方法が提供される。非限定の例として、第１の要因として、第一者を識別し、自分が誰かを証明するユニバーサルＩＤ信号を第一者が読み取り機に送信することに基づいて第一者にアクセスを許す方法が提供される。第２の要因として、カメラ付きの読み取り機はカメラ画像を用いて第一者が自身のアカウントに有する顔と合致させる。第一者がドアに入るたびに顔をよりよく合致させるために学習アルゴリズムを用いることができる。
【００６４】
別の実施形態では、音声認識を用いて第一者の物理的なアクセス識別のためのシステム及び方法が提供される。非限定の例として、第１の要因として、第一者が特定され、第一者が誰であるかを検証するユニバーサルＩＤ信号を読み取り機に発することに基づいてアクセスが認められる。第一者サインアッププロセスの一部として、読み取り機はマイクを有し、第一者のユーザーに「開け」と言わせてその音声パターンと予め記録された音声パターンとを合致させる。次に、第２の要因として、読み取り機は第一者がそのアカウントに有する音声パターン合致させる。第一者がドアに入るたびに音声をよりよく合致させるために学習アルゴリズムを用いることができる。
【００６５】
別の実施形態では、システム及び方法は、無線センサ及びパーソナルデバイスを用いて共連れ行為（tailgating  activities）を検出する。非限定の例として、全ての居住者に、それらを表す一意なユニバーサルＩＤ信号を、赤外線センサ又は人数計測センサ等の他のセンサとペアリングされた読み取り機に発するモバイルデバイスを保持することを要求し、組み合わせのデータにより２人のプロキシユーザーがいることをカウントできるようにすることで可能性のある共連れイベントが起きているかを検出するための方法が提供される。ドアを通る人が３人いる場合、１人は共連れである。人数を計測するために、限定されないが、ＷＩＦＩ、超音波等を含むがいくつかの技術を利用できる。非限定の例として、ユニバーサルＩＤ信号と連携するこのような技術の組み合わせは共連れイベントを表面化させるのに役立つ。
【００６６】
別の実施形態では、意図的なロック、ロック解除及び個人化のための乗客の自動運転車両識別のためのシステム及び方法が提供される。非限定の例として、これは、自動運転車両が、第一者が何もする必要なく迎えにいくべき正しい乗客であるかをユニバーサルＩＤ信号を用いて検出する方法を提供する。自動運転車両は動いている間ロックする必要があるため、自動運転車両は任意の人が車両に乗り込むことがないように歩道上にいる正しい乗客に対してだけロックを解除する方法が必要である。車はユニバーサルＩＤ信号を用いて運転体験を個人化し、この車が第一者に割り当てられていることを乗客に示すスクリーンを表示することもできる。このように、１つの自動車メーカーの問題及び１つのアプリの問題は、車両のソフトウェアが、個人化された体験及び安全／効率的なピックアップ及びオープンの体験の双方を乗客に与えるのに必要な関連情報を引き出すことができるように全ての車両が同じユニバーサルＩＤ信号を用いることができるようにすることで解決される。
【００６７】
別の実施形態では、機械に機械近接支払取引（machine  proximity  payment  transaction）させるためのシステム及び方法が提供される。非限定の例として、これは、クレジットカード又は第一者が仲介することを必要せずに独立した機械が互いに送金する方法をカバーする。これにより、マシン間の取引を行うことが可能となる。非限定の例として、これは、例えば、第一者が関与することなく、自動運転車両が駐車料金を駐車メーターに直接料支払うことを含み、例えば受動的に実現される。
【００６８】
一実施形態では、円筒状ラッチ機構を介したロックの電磁誘導充電が提供される。非限定の例として、充電ロック装置はラッチ機構内の誘導コイル及びラッチがドアをロックするために入るスロットの周囲のコイルにより提供される。
【００６９】
一実施形態では、ロックの電磁誘導充電はロックフェースプレートを介して提供され、ロック装置は、ドア／フレームフェースプレートの周囲に位置する誘導コイルにより充電される。
【００７０】
一実施形態では、電話装置の電磁誘導充電が車体に設けられる。非限定の例として、第一者の電話をバックアップの鍵として用いる未来の車の場合に、電話の電池がなくなっているものの充電可能な場合に第一者の電話を車のボンネットの上に置くことにより充電して車内に入ることができるようにする。
【００７１】
一実施形態では、任意のＡＩ（アシスタントＡＩ及び音声コマンドＡＩ）は、第一者を表すユニバーサルＩＤ信号が第一者に役立つ有用な情報をそれに求めるためにタップすることができる。
【００７２】
一実施形態では、近接するドアのロックを解除するコマンドをトリガするために第一者の電話機上にノックを提供することができる。
【００７３】
一実施形態では、電話の所有者である場のみビルへのアクセスが認められるように第一者を指紋押印するために第一者の電話のセンサが用いられる。非限定の例として、これは、出入管理及び第一者がその電話により識別される必要がある使用事例に具体的に適用できる。
【００７４】
一実施形態では、ユニバーサルＩＤ信号を有する第一者のドライバと、第一者が車両を運転できエンジンをかけることを認証するユニバーサルＩＤ信号センサを有する車両、第一者、車両及びガレージのセンシングの組み合わせが、車両及び第一者のドライバに安全な車両アクセスのためのアクセスを与える。
【００７５】
一実施形態では、車両群を有する組織は、保険情報を有する運転者が旅行の間に車両及び運転者を切り替えることを許可できる。これはレンタカーの状況にも用いることができる。   
一実施形態では、限定されないがバス、自動車等を含む高振動環境でビーコンのために重量及びコイルを介して環境発電が実現される。
【００７６】
一実施形態では、ドアのヒンジを用いて、ギアを介したスイングドアの開閉動作により充電する充電ドア装置のために環境発電が提供される。
【００７７】
一実施形態のアイディアでは、自動車及び公共交通のための通行中の（歩行者の電話からの）第一者のユニバーサルＩＤ信号は道路上の歩行者及び自転車に乗っている人を検出する。輸送／交通システムは、公共交通及び道路交通を最適化するためにそれを利用できる。
【００７８】
一実施形態では、システムプレゼンスハブはガレージ内の電源ソケットに差し込まれ、次いで、ＲＦ信号を発して第一者がガレージに入るときにガレージのドアを開く。これには設置が必要なく、新しいトランスポンダを得ることに対して、第一者がガレージをどのようにプログラムするかのようなものである。
【００７９】
一実施形態では、エッジシステムは、任意の電動ドアシステムへの取り付け及び一体化を容易にするコントローラレスのアクセス制御を可能にするシステム及び方法を含む。
【００８０】
一実施形態では、ファームウェアのＯＴＡアップデートシステム及び方法が提供される。
【００８１】
一実施形態では、システム及び方法は、第一者が自身のアプリをダウンロードする必要なく、第二者がシステムプレゼンスシステムを利用してそのビーコンを検出できるようにすることを可能にする。
【００８２】
一実施形態では、任意のシステムがユニバーサルＩＤ信号を検出し、それを用いて第一者に安全かつプライベートな方法で仕えることができるようにユニバーサルＩＤ信号を発するバイオチップが提供される。
【００８３】
一実施形態では、自動車が、ユニバーサルＩＤ信号を検出することにより第一者に個人化された体験を与えることができるようにする普遍的な方法が提供される。
【００８４】
一実施形態では、ユニバーサルＩＤ信号は、拡張現実システムがユニバーサルＩＤ信号を用いて、システム内で拡張された人々の関連情報を特定及び提供できるようにする。
【００８５】
一実施形態では、ユニバーサルＩＤ信号を介してキャッシュトークンシステム及び方法が提供される。
【００８６】
一実施形態では、ユニバーサルＩＤ信号を用いて永続的な信号が確実に得られるようにするために、モバイルデバイスのＭＡＣアドレスが回転される。このようなシステムは、マックアドレス、例えばチャレンジレスポンス交換を追跡及び監視することなくユニバーサルＩＤ信号を用いることができる。
【００８７】
一実施形態では、ユニバーサルＩＤ信号は、第２の要因認証として論理アクセスのために用いられる。
【００８８】
一実施形態では、ＦＰＧＡを用いて、ＦＰＧＡが任意のインターフェースプロトコルと共動できるように構成されるようプログラムすることにより、ユニバーサルセンサが任意の埋め込みシステムと普遍的に互換性があるようにすることができる。
【００８９】
一実施形態では、アクセスポイントでの方向性、すなわちドアに入るか又は出るかを決定するために、電話の磁力計を用いるプロセスが提供される。
【００９０】
一実施形態では、各デバイスはカードによって個別に表されるが、アプリコンテナビューを介して集合的にアクセスされる。それぞれは個別に選択でき、詳細を見るために及び関連装置からコマンドを送受信コマンドを送受信するように拡張できる。
【００９１】
一実施形態では、２つのＢＬＥ無線機は、ＢＬＥが何百もの他の装置／電話に接続してやりとりすることができないという限界を解決する方法で機能する。非限定の例として、１つのラジオは、アドバタイジングアドレスをスキャン及び追跡し、他方のラジオは、装置を１つずつ接続して問い合わせ、切断するコネクタとして機能する。
【００９２】
したがって、本開示は説明した特定例に限定されるものではなく、変更及び他の例が添付の特許請求の範囲内に含まれることを意図していることを理解すべきである。さらに、前述の説明及び関連する図面は、要素及び／又は機能の特定の例示的な組み合わせの文脈で本開示の例を説明しているが、添付の特許請求の範囲から逸脱することなく要素及び／又は機能の異なる組み合わせが代替的な実施により提供され得ることが分かる。したがって、添付の特許請求の範囲の括弧内の参照番号は例示の目的のためだけに示されており、本開示で提供した特定の例に特許請求の範囲の主題を限定することを意図していない。
【００９３】
本開示を読み終えた後、当業者であればさらなる実施形態を想像できる。上記で開示した本発明の他の実施形態、組み合わせ又はサブコンビネーションを有利に作ることができる。アーキテクチャのブロック図及びフローチャートは、理解を容易にするためにグループ化されている。しかしながら、ブロックの組み合わせ、新たなブロックの追加、ブロックの再配置等が本発明の代替的な実施形態で考えられることを理解すべきである。
【００９４】
したがって、本明細書及び図面は限定的ではなく例示的なものでるとみなすべきである。しかしながら、特許請求の範囲に記載された本発明のより広範な精神及び範囲から逸脱することなく、様々な修正及び変更をそれに加えられ得ることが明らかであろう。
【図１】
2021527904.tif 000003
【図２】
2021527904.tif 000004
【図３】
2021527904.tif 000005
【図４Ａ】
2021527904.tif 000006
【図４Ｂ】
2021527904.tif 000007
【図５】
2021527904.tif 000008
【図６】
2021527904.tif 000009
【図７】
2021527904.tif 000010
【図８】
2021527904.tif 000011
【図９】
2021527904.tif 000012
【国際調査報告】
2021527904.tif 000013
2021527904.tif 000014
2021527904.tif 000015